(57)【特許請求の範囲】
【請求項１】
サイクリスト用シューの保持用クリート（2）を自動サイクルペダル上に固定するソール（1）を有するサイクリスト用シューであって、
前記ソール（1）の厚さ部分に配置されて前記ソール（1）に設けた複数の貫通孔（7）にそれぞれ対面する第１固定要素（5）と、該第１固定要素と対をなして前記クリート（2）を前記ソール（1）に保持するための第２固定要素（6）とを有する固定手段（5,6）と、
前記クリート（2）に設けられた複数の長手方向のスロット（8）と、該スロットに対応して前記クリートの底部側に設けた座部（10）に係合し、前記スロット（8）に対応して配置される縦スロット（12）を有する複数の細長い横部材（11）とを含み、前記第２固定要素（6）が、前記縦スロット（12）、前記スロット（8）、及び前記貫通孔（7）を貫通して、前記第１固定要素（5）に固定され、前記クリート（2）を所定の使用位置に配置できるように前記ソール（1）に対して前記クリートを位置決める手段(8〜11）と、
前記ソール（1）の凹部（4）内に配置される第１位置決め部材（3；16）と、前記クリート（2）の上部表面上に設けた座（18）内に収容される第２位置決め部材（17）とを有して、前記クリート（2）の代わりに同様の別のクリートを、前記クリート（2）の所定の使用位置に据え付けることができる据付装置（15）とを備え、
前記第１位置決め部材（3；16）は、前記ソール（1）に対して長手方向に摺動可能に取り付けられ、前記２位置決め部材（17）は、前記クリート（2）の中央貫通孔（13）を貫いて、前記ソール（1）に設けた長手方向スロット（22）を貫通する連結手段（20）によって前記第１位置決め部材（3；16）に連結され、前記クリート（2）を用いる所定位置において前記第１、第２位置決め部材が互いに固定されることを特徴とするサイクリスト用シュー。
【請求項２】
前記第２位置決め部材（17）は、前記ソール（1）に対して横方向に移動可能であることを特徴とする請求項１記載のサイクリスト用シュー。
【請求項３】
前記第２位置決め部材（17）は、前記ソール（1）の横方向に移動できるように前記連結手段（20）を受け入れる横方向溝（21）を含んでいることを特徴とする請求項１または請求項２に記載のサイクリスト用シュー。
【請求項４】
前記第１、第２位置決め部材（3,17；16,17）は、前記ソール（1）の長手方向に伸びるＴ形部材（3）を含み、該Ｔ形部材の各端部には、前記クリート（2）の第２固定要素（6）の１つをそれぞれ受け入れる第１固定孔を備えていることを特徴とする請求項１ないし３のいずれか１項に記載のサイクリスト用シュー。
【請求項５】
前記第１位置決め部材は、前記ソール（1）の長手方向に摺動可能に取り付けられかつ前記第１、第２位置決め部材（3,17）を連結する前記連結手段（20）を受け入れる第２固定孔（19）を備えているＴ形部材（3）を含み、さらに、前記ソール（1）の前記貫通孔（7）が、前記Ｔ形部材（3）に設けた前記第１固定孔に対面して配置された前記長手方向スロット（22）によって形成されていることを特徴とする請求項４記載のサイクリスト用シュー。
【請求項６】
前記Ｔ形部材（3）は、該Ｔ形部材（3）の長手方向の移動中、該Ｔ形部材（3）を案内する手段を形成するように、前記ソール（1）の対応するスロット（7,22）の１つに突出する突出部（24）を、少なくとも前記第１、第２固定孔の回りの下側表面上に設けていることを特徴とする請求項５記載のサイクリスト用シュー。
【請求項７】
前記第１位置決め部材は、前記Ｔ形部材（3）のステム上を摺動するように取り付けられかつ前記第１、第２位置決め部材（16,17）の前記連結手段（20）を受け入れるための第２固定孔（19）を設けた部材（16）を構成し、さらに、前記Ｔ形部材（3）は、前記第１、第２位置決め部材（16,17）を連結する前記連結手段（20）を受け入れる長手方向スロット（23）を含んでいることを特徴とする請求項４記載のサイクリスト用シュー。
【請求項８】
前記第１位置決め部材（16）は、該第１位置決め部材の長手方向への移動中、前記第１位置決め部材を案内する手段を形成するように、前記Ｔ形部材（3）の長手方向スロット（23）内に突出する突出部（24）が、前記第１、第２固定孔の回りの下側表面上に設けられていることを特徴とする請求項７記載のサイクリスト用シュー。
【請求項９】
前記第１位置決め部材（16）は、横方向案内部材を形成するように、前記Ｔ形部材（3）のステムの両側に伸びる一対の横舌片部（25）を含んでいることを特徴とする請求項７または請求項８に記載のサイクリスト用シュー。
【請求項１０】
前記第２位置決め部材（17）は、該第２位置決め部材（17）の外形状と前記座（18）の内側形状とが、少なくとも部分的に噛み合うことによって、前記クリート（2）の上側表面上で前記座(18)内で抑止されるプレートを形成していることを特徴とする請求項１ないし９のいずれか１項に記載のサイクリスト用シュー。
【請求項１１】
前記プレートは、前記クリート（2）の上側表面上で前記座（18）内の突出部（27）を受け入れる切欠き部（26）をプレート後端部に設けていることを特徴とする請求項１０記載のサイクリスト用シュー。
【請求項１２】
前記プレートは、前記座（18）の対応する形状の凹部（29）にはまり込む形状を有している突起部（28）を前記プレートの前方端部に備えていることを特徴とする請求項１０または請求項１１に記載のサイクリスト用シュー。
【発明の詳細な説明】
【技術分野】
【０００１】
本発明は、シューを自動安全ペダル上に保持するクリートを有するサイクリスト用シューに関する。
【背景技術】
【０００２】
「自動式」とは、シューのソールの下側にプレート状の連結部材、即ち、保持クリートを固定することにより連結され、この保持クリートをペダルに設けた安全機構に単純にはめ込むことによって、手でシューをペダルに固定する必要をなくしたものである。安全機構は、ペダル本体に連結されるもので、クリートと係合する前側固定部材と、ペダル本体上の保持平面に対してクリートを保持するために、クリートを離脱させる位置とクリートを保持する位置との間で弾性的に揺動可能な可動後側保持部材とを構成している。
【０００３】
この形式のペダルは、それぞれペダル本体にクリートを連結するのに用いる自動安全手段の使用によって本質的に異なっている。
これらのペダルは、今日広く知られているが、詳細に記載されたものはなく、本発明は、これらのペダルとは直接関係しない。しかし、本発明の利用分野を構成している。
【０００４】
このように、本発明は、特に、自動ペダルと共に使用されかつ保持用クリート等の固定手段を備えているサイクリスト用シューに関係する。
公知のシューにおいて、これらの固定手段は、ソールの厚さの上に配置され、３つのプレートからなり、それぞれのプレートは、クリートを固定するために、ソールに設けた孔を貫通する固定用ねじと相互に作用するテーパ状の固定孔を備えている。これら３つのプレートは、仮想三角形の頂点に配置されている。
【０００５】
保持用クリートは、一般的に三角形状で、３つの長手方向溝、即ち、固定用ねじをそれぞれ収容する、中央前方溝と２つの横方向後部溝とを備えている。各溝の回りには、長手方向溝を備える横部材を受け入れるための凹部が形成されている。対応する固定用ねじの頭部は、この横部材を支持する。この配置により、クリートの長手方向に位置決めが可能になり、クリートが所定の使用位置にソールに対して位置決められる。
【０００６】
こうして、保持用クリートの初期位置決めは、シューのソールの下側にクリートを固定するとき、サイクリストにとって非常に重要なことである。それは、第１には、正しい位置決めは、ペダル操作において力の伝達を有効にするものであり、第２には、クリートの不適切な位置決めにより、筋肉または関節に損傷を与えることを避けるためである。
【０００７】
さらに、第２の機能として、使用者が地面を歩く時、シューのソールの下側に固定されたクリートは厳しい力を受ける。そして、このようなショックを受けると、クリートは、比較的早く悪化してスクラッチを生じる。さらに、これらのクリートは、一般的にプラスチック材料で作られるので、その損傷は急速に増大する。その結果、保持用クリートは、周期的にまたは偶発的な損傷の後で交換すべき消耗部品となっている。
【０００８】
しかし、公知のシューは、クリートをソールに対して正確に固定できる手段を備えていない。また、使用者は、使用済のクリートと同一の位置に正確に新しいクリートを配置することができるように、新しいクリートに置き換えるために前のクリートを取外す前に、ソールの下側に輪郭線を引くか、接着剤を用いることを余儀なくされる。
【発明の開示】
【発明が解決しようとする課題】
【０００９】
本発明は、クリートの現在の位置を記憶し、かつ、新しいクリートを正しい位置に保持するための手段を有するサイクリストのシューを提供することにより、従来の欠点を解消することを目的としている。
【００１０】
また、本発明の目的は、サイクル用自動ペダルに、シューの保持用クリートとしての固定手段を備えたソールを有するサイクリスト用シューを提供することである。
【課題を解決するための手段】
【００１１】
上記目的を達成するために、保持用クリートを自動サイクルペダル上に固定するソールを有する本発明のサイクリスト用シューは、
ソールの厚さ部分に配置されて前記ソールに設けた複数の貫通孔にそれぞれ対面する第１固定要素と、該第１固定要素と対をなして前記クリートを前記ソールに保持するための第２固定要素とを有する固定手段と、
前記クリートに設けられた複数の長手方向のスロットと、該スロットに対応して前記クリートの底部側に設けた座部に係合し、前記スロットに対応して配置される縦スロットを有する複数の細長い横部材とを含み、前記第２固定要素が、前記縦スロット、前記スロット、及び前記貫通孔を貫通して、前記第１固定要素に固定され、前記ソールの凹部内に配置される第１位置決め部材と、前記クリートの上部表面上に設けた座内に収容される第２位置決め部材とを有して、前記クリートの代わりに同様の別のクリートを、前記クリートの所定の使用位置に据え付けることができる据付装置とを備え、
前記第１位置決め部材は、前記ソールに対して長手方向に摺動可能に取り付けられ、前記２位置決め部材は、前記クリートの中央貫通孔を貫いて、前記ソールに設けた長手方向スロットを貫通する連結手段によって前記第１位置決め部材に連結され、前記クリートを用いる所定位置において前記第１、第２位置決め部材が互いに固定されることを特徴とする。
【００１３】
さらに、本発明の実施形態によれば、以下の構成を備えている。
−前記第２位置決め部材は、前記ソールに対して横方向に移動可能である。
−前記第１位置決め部材は、前記ソールの凹部内に配置され、前記第２位置決め部材は、前記クリートの上部表面上に設けた座内に収容される。
−前記第１位置決め部材は、前記ソールの長手方向に摺動可能に取り付けられ、前記第２位置決め部材は、前記ソールの横方向に前記第２位置決め部材を移動できるように前記連結手段を受け入れる横方向溝を含んでいる。
【００１４】
−前記第１、第２位置決め部材は、前記ソールの長手方向に伸びるＴ形部材を含み、該Ｔ形部材の各端部には、前記クリートの第２固定要素の１つをそれぞれ受け入れる固定孔を備えている。
−前記第１位置決め部材は、前記ソールの長手方向に摺動可能に取り付けられかつ前記第１、第２位置決め部材を連結する連結手段を受け入れる固定孔を備えているＴ形部材を含み、さらに、前記ソールの貫通孔が、前記Ｔ形部材に設けた前記固定孔に対面して配置された長手方向スロットによって形成されている。
【００１５】
−前記Ｔ形部材は、該Ｔ形部材の長手方向の移動中、該Ｔ形部材を案内する手段を形成するように、前記ソールの対応するスロットの１つに突出する突起部を、少なくとも２つの前記固定孔の回りの下側表面上に設けている。
−前記第１位置決め部材は、Ｔ形部材のステム上を摺動するように取り付けられかつ第１、第２位置決め部材の連結手段を受け入れるための固定孔を設けた部材を有し、さらに、前記Ｔ形部材は、前記第１、第２位置決め部材を連結する前記連結手段を受け入れる長手方向スロットを含んでいる。
【００１６】
−第１位置決め部材は、該第１位置決め部材の長手方向への移動中、前記第１位置決め部材を案内する手段を形成するように、前記Ｔ形部材の前記長手方向スロット内に突出する突起部が、前記固定孔の回りの下側表面上に設けられている。
−第１位置決め部材は、横方向案内部材を形成するように、前記Ｔ形部材のステムの両側に伸びる一対の横舌片部を含んでいる。
【００１７】
−第２位置決め部材は、この位置決め部材の外形状と前記座の内側形状とが、少なくとも部分的に噛み合うことによって、前記クリートの上側表面上で前記座内で抑止されるプレートを形成している。
−前記プレートは、前記クリートの上側表面上で前記座内の突起部を受け入れる切欠き部をプレート後端部に設けている。
−前記プレートは、前記座の対応する形状の凹部にはまり込む形状を有している突起部をプレートの前方端部に備えている。
【発明を実施するための最良の形態】
【００１８】
以下、本発明の好ましい実施形態を添付の図面に基づいて詳細に説明する。
図１の分解斜視図は、サイクリスト用シュー(図示略)のソール１と、サイクル車用ペダル(図示略)上にシューを保持するためのクリート２を示している。クリート２は、例えば、全体として三角形状を有する。
【００１９】
ソール１は、クリート２をソールの厚さ部分の底部に配置するための固定手段を備えている。ここで示す例では、これらの固定手段は、ソール１の凹部４に配置されて各端部に第１固定要素としてのテーパー状の固定孔（第１固定孔）５を有するＴ形部材３と、このＴ形部材の各固定孔５に受け入れられる第２固定要素としての複数の固定ねじ６とからなり、固定ねじ６は、ソール１の下側に配置されるクリート２を固定するために設けられ、固定孔５は、ソール１の貫通孔７に対面して配置される。
【００２０】
そして、これらの固定ねじ６は、下方から保持用クリート２の貫通孔８に挿入されてソール１の固定孔５にねじ込まれ、クリート２をソール１に把持する。これらの孔は、ぞれぞれ中央孔と後方に位置する２つの後部孔を有する。
【００２１】
ソール１の長手方向に対して保持用クリート２を位置決めるために、クリート２に設けた貫通孔（スロット）８は、長手方向スロットの形状をしている。このクリート２の長手方向スロット回りの外表面には、肩部９（図６および図７を参照。）が設けられており、この肩部９は、クレート２の長手方向スロットに対応して配置される縦スロット１２を有する細長い横部材１１の座（座部）１０を形成し、スロット８の幅に対して縮小されて、固定ねじ６の軸部に対応した第１の幅を有している。
【００２２】
この結果、各固定ねじ６は、スロット８,１２を貫通し、その頭部が、この横部材１１を支持して、クリート２をソール１に対して保持する。
ソール１に対してクリート２の横方向位置を決めることができるように、座１０（図７参照）は、横部材１１の幅よりも大きな幅を有しており、横部材１１が座１０内で横方向に移動できるようになっている。
【００２３】
クリート２をソール１の下側に固定する前に、クリート２をソール１に配置してクリーとの最適位置に対応する所定の使用位置に位置決めるようにクリートの縦位置と横位置とを決めることが可能である。
保持用クリート２は、従来公知のように、クリート２の外表面上に突出する滑り止めシュー１４用の座を有する中央貫通孔１３を備えている。
【００２４】
本発明によれば、ソール下側のクリート２の固定手段は、クリート２の所定の使用位置に新しいクリートを再配置できるように、クリート２を所定の使用位置に据え付けることができる据付装置１５と関連する。この据付装置の第１実施形態は、図１〜図６および図１０に示されている。
【００２５】
この位置決め装置１５の位置決め手段は、ソール１の凹部４内で長手方向に摺動可能に取り付けられる第１位置決め部材１６と、保持用クリート２の上部表面上の座１８に配置される第２位置決め部材１７とを有している。これらの第１、第２位置決め部材１６,１７は、ソール１に対して長手方向および横方向に移動可能で、クリート２の所定の使用位置に固定できるようになっている。
【００２６】
第１位置決め部材１６は、テーパ状の固定孔（第２固定孔）１９を有するプレートからなり、この固定孔が、第１、第２位置決め部材１６,１７間の連結手段となる固定ねじ２０の軸部にねじ切りされたねじ部と協働する。
【００２７】
この連結手段２０は、第１、第２位置決め部材１６,１７が互いに動けないように固定するために、プレートで形成された第２位置決め部材１７に設けた移送スロット（横方向溝）２１を貫通し、そしてソール１に設けた長手方向スロット２２を介して第１位置決め部材１６の固定孔１９内にねじ込まれる。
【００２８】
図面に示す例において、クリート２の固定手段は、各端部にテーパ状の固定孔５を備えたＴ形部材３を含み、プレート１６は、Ｔ形部材３のステム部分上をカーソルのように摺動可能に取り付けられ、その結果、Ｔ形部材３は、ソール１の長手方向スロット２２に対面して配置されている長手方向スロット２３を有しており、これらのスロット２２,２３に案内されて、固定ねじ２０がこれらのスロットを貫通し長手方向に移動できるようになっている。
【００２９】
第１位置決め部材１６は、プレート形状であり、好ましくは、その下側表面に突出部２４（図６参照）を備えている。突出部２４は、Ｔ形部材３の長手方向スロット２３内に突出して、第１位置決め部材の長手方向移動中プレート１６の案内手段を形成する。
【００３０】
固定ねじ２０が取り除かれたとき、第１位置決め部材１６をＴ形部材３上の所定位置に保持するために、第１位置決め部材１６は、好ましくは、さらに、一対の横舌片部２５を含んでいる。また、これらの横舌片部は、固定ねじ２０を保持している間、第１位置決め部材１６が回転するのを阻止する。
【００３１】
クリート２がソール１の下側に固定されるとき、第２位置決め部材１７のプレートは、保持用クリート２の上部表面に設けた座１８内に自由に配置することができる。このプレートが座１８内に配置されると、プレートの外形状と座の内形状との間で、少なくとも部分的に噛み合うことによってその動きが阻止される（図４参照）。
【００３２】
クリート２の座１８内に第２位置決め部材１７を配置した状態で、このプレートの案内をより良くするために、このプレート１７の後端部には、座１８の後部に補完する形の中央リブ２７を形成する突出部を受け入れる中央切欠き部２６を備えている。この中央リブ２７は、第２位置決め部材１７の中央切欠き部２６の底部に対して長手方向に当接するようになる。
【００３３】
例示した例では、また座１８内にプレート１７を配置する時にその案内をより容易にするために、プレート１７は、前方端に丸い突起部２８を有し、この突起部は、座１８に設けた対応する凹部２９内に嵌り込む形状となっている。
【００３４】
さらに、第２位置決め部材１７のプレートは、移送スロット２１の回りにプレートの開表面上に配置される肩部３０を有し、位置決め装置１５の固定ねじ２０の頭部を支持する面として作用する。
【００３５】
本発明に従う位置決め装置１５の第２実施形態は、図７及び図８に示されており、一方、図４、図５、図９に示す構成は、第１、第２実施形態に共通するものと見なすことができる。
【００３６】
図７は、本発明の第２実施形態を示す分解図であり、Ｔ形部材が第１位置決め部材として作用し、その結果、第１実施形態におけるプレート１６が削除されるので、第１実施形態とは本質的に異なっている。
【００３７】
このＴ形部材は、ソール１の長手方向に移動可能に取り付けられ、長手方向スロット２３の代わりにテーパ状の固定孔１９を備え、この固定孔は、ソール１の下側表面に対して第２位置決め部材１７の固定ねじ２０を受け入れる。
さらに、ソール１の下側にクリートを固定するための貫通孔７は、この場合、円形孔ではなくて長手方向スロットとして形成され、Ｔ形部材３の長手方向移動を可能にする。第１実施形態の長手方向スロット２２は、第２実施形態においても同様に形成される。
【００３８】
Ｔ形部材３をソール１に案内するために、Ｔ形部材３は、好ましくは、少なくとも２つの固定孔５,１９の下方表面上に突出部２４を備えており、この突出部は、対応するスリット７,２２内に突出する。この場合、固定孔５,１９の２つの孔は、突出部２４と共に設けられ、好ましくは、２つの孔５,１９が選択され、Ｔ形部材３のステム上に互いに一直線上に配置される。しかし、これらの突出部２４は、テーパ状の固定孔が設けられるとき、特定の機械を用いることなく容易に形成することができ、もちろん、４つの固定孔全ての回りに、このような案内突出部を設けることは有益である。
【００３９】
位置決め装置１５を設けたことにより、本発明によれば、ソール１の下側保持用クリート２を設置する間に、ソール１に対して長手方向及び横方向にクリートを簡単に位置決めすることができ、最適な方法で、所定の使用位置にクリートを配置することができ、また、クリートを同様の新しいクリートに取替え作業中に、同一の所定の使用位置に保持することができる。
【００４０】
この目的のために、位置決め装置１５は、第１クリート２を正確な位置に配置するように、このクリート（図１０参照）の移動後、ソール１の下側に固定される。
保持用クリート２の第１据え付け中に、先ず、クリート２上の座１８内に第２位置決め部材１７のプレートを配置した後、サイクリストは、位置決め装置１５をその固定ねじ２０によってブロックする前に、クリートを３つのねじ６で位置決めかつ固定する。こうして、位置決め装置１５は、クリート２の位置決め動作中に、自動的にクリート２とともに移動される。
【００４１】
さらに、位置決め装置１５の固定ねじ２０は、ねじのないシュー１４を受け入れる中央貫通孔１３を介して接近可能であり、位置決め装置１５の第１の固定ねじ２０を緩めることによって、さらに、クリートの３つの固定ねじ緩めることによって、いつでもクリートの使用位置を調整することが可能である。クリート２は、位置決め装置１５とともに長手方向及び横方向に移動することができ、さらに、この調整が完成したとき、全てのねじ６,２０が再び固定される。滑り止めシュー１４を直接、位置決め装置１５の固定ねじ２０の下側に取り付けたことにより、シュー１４はこのねじのための保護カバーの機能を呈する。
【００４２】
もちろん、本発明は、ここで示されかつ記述された実施形態に限定されるものではなく、当業者であれば、本発明の範囲から逸脱することなく変更及び修正が可能である。
【図面の簡単な説明】
【００４３】
【図１】サイクリスト用シューのソールおよびクリートを含む、本発明の第１実施形態における分解斜視図である。
【図２】ソールの凹部に設けたＴ形部材を示す部分斜視図である。
【図３】Ｔ形部材にカーソルを形成する第１位置決め部材を有する、図２に対応する部分斜視図である。
【図４】第２位置決め部材を受け留める座を備えたクリートを示す斜視図である。
【図５】(a)は、図４の第２位置決め部材の斜視図であり、(b)は、図４の第２位置決め部材の底面図である。
【図６】本発明の第３実施形態による可変光減衰器のパッケージを示す図である。
【図７】本発明の第２実施形態によるソール、及びソール下側に固定される保持用クリートを示す分解斜視図である。
【図８】図７のＴ形部材を下側から見た斜視図である。
【図９】ソール下方に固定されるクリートを備えるソールを底部側から見た斜視図である。
【図１０】固定ねじを用いてクリートを取り除いた後の、図９に対応するソールの底部側を示す斜視図である。
【符号の説明】
【００４４】
１    ソール
２    クリート
３    Ｔ形部材
４、２９  凹部
５、１９  テーパ状の固定孔
６、２０  固定ねじ
１４  シュー
１５  位置決め装置
１６  第１位置決め部材
１７  第２位置決め部材
１８  座
２２、２３  長手方向スロット
２４  突出部
２５  横舌片部
２６  中央切欠き部
２７  中央リブ
【図１】
0004711108.tif 000002
【図２】
0004711108.tif 000003
【図３】
0004711108.tif 000004
【図４】
0004711108.tif 000005
【図５】
0004711108.tif 000006
【図６】
0004711108.tif 000007
【図７】
0004711108.tif 000008
【図８】
0004711108.tif 000009
【図９】
0004711108.tif 000010
【図１０】
0004711108.tif 000011